(57)【要約】【課題】ＲＡＭディスクとの互換に優れ、かつ同期系に有利なＲＯＭディスクの実現。【解決手段】記録再生単位であるブロック（ＲＵＢ）の前後端に、データランイン及びデータランアウトとしてバッファ領域が形成されるようにし、ＲＡＭディスクと同様なデータ配列方式とすることで互換性に優れたものとする。また、バッファ領域では、連続するフレームにおけるシンクデータ間隔と同間隔となる位置に、シンクデータ（ＳＡ）が記録されることにより、再生信号中に、常に等間隔でシンクが現れるようにし、同期確立および同期保護に有利とする。【選択図】　　　　図４
2004103096.tif 000002
【特許請求の範囲】
【請求項１】
情報の記録再生単位とされるブロックが連続され、
上記各ブロックは、前端バッファ領域となるデータランインと、シンクデータ及び主データを有するフレームが複数連続して成るクラスタと、後端バッファ領域となるデータランアウトとを有し、
さらにブロックとブロックの境界において上記データランアウトと上記データランインで形成されるバッファ領域には、少なくとも、連続する上記フレームにおけるシンクデータ間隔と同間隔となる位置に、シンクデータが記録されるデータフォーマットが形成されて、
再生専用のデータが記録された再生専用記録媒体。
【請求項２】
上記バッファ領域には、連続する上記フレームにおけるシンクデータ間隔と同間隔となる位置のみに、シンクデータが記録されることを特徴とする請求項１に記載の再生専用記録媒体。
【請求項３】
上記バッファ領域における少なくとも一つのシンクデータのデータパターンは、上記フレームに設けられるシンクデータのデータパターンとは異なるものとされることを特徴とする請求項１に記載の再生専用記録媒体。
【請求項４】
上記再生専用記録媒体と同様に、情報の記録再生単位とされるブロックが連続され、上記各ブロックは、前端バッファ領域となるデータランインと、シンクデータ及び主データを有するフレームが複数連続して成るクラスタと、後端バッファ領域となるデータランアウトとを有するデータフォーマットが形成され、データの記録及び再生が可能とされる記録再生記録媒体において、シンクデータが第１の反転間隔のデータパターンとされることに対して、
上記再生専用記録媒体において、上記フレーム及び上記バッファ領域に記録されるシンクデータは、第２の反転間隔のデータパターンとされることを特徴とする請求項１に記載の再生専用記録媒体。
【請求項５】
情報の記録再生単位とされるブロックが連続され、上記各ブロックは、前端バッファ領域となるデータランインと、シンクデータ及び主データを有するフレームが複数連続して成るクラスタと、後端バッファ領域となるデータランアウトとを有するデータフォーマットが形成され、データの記録及び再生が可能とされるとともに、上記シンクデータが第１の反転間隔のデータパターンとされた記録再生記録媒体と、
情報の記録再生単位とされるブロックが連続され、上記各ブロックは、前端バッファ領域となるデータランインと、シンクデータ及び主データを有するフレームが複数連続して成るクラスタと、後端バッファ領域となるデータランアウトとを有し、さらにブロックとブロックの境界において上記データランアウトと上記データランインで形成されるバッファ領域には、少なくとも、連続する上記フレームにおけるシンクデータ間隔と同間隔となる位置に、シンクデータが記録されるデータフォーマットが形成されて再生専用のデータが記録されるとともに、上記フレーム及び上記バッファ領域に記録されるシンクデータが第２の反転間隔のデータパターンとされた再生専用記録媒体と、の両方に対応してデータ再生を行う再生装置において、
装填された記録媒体から情報読出を行う読出手段と、
上記読出手段で読み出された情報から検出されるシンクデータに基づいてフレーム同期処理を行い、データデコード処理を行うデータデコード手段と、
上記読出手段で読み出された情報から検出されるシンクデータに基づいてフレームアドレス検出処理を行うアドレスデコード手段と、
装填された記録媒体が上記再生専用記録媒体の場合は、上記第２の反転間隔のデータパターンの検出により上記シンクデータの検出処理を実行させ、装填された記録媒体が上記記録再生記録媒体の場合は、上記第１の反転間隔のデータパターンの検出により上記シンクデータの検出処理を実行させるように制御する制御手段と、
を備えたことを特徴とする再生装置。
【請求項６】
情報の記録再生単位とされるブロックが連続され、上記各ブロックは、前端バッファ領域となるデータランインと、シンクデータ及び主データを有するフレームが複数連続して成るクラスタと、後端バッファ領域となるデータランアウトとを有するデータフォーマットが形成され、データの記録及び再生が可能とされるとともに、上記シンクデータが第１の反転間隔のデータパターンとされた記録再生記録媒体と、
情報の記録再生単位とされるブロックが連続され、上記各ブロックは、前端バッファ領域となるデータランインと、シンクデータ及び主データを有するフレームが複数連続して成るクラスタと、後端バッファ領域となるデータランアウトとを有し、さらにブロックとブロックの境界において上記データランアウトと上記データランインで形成されるバッファ領域には、少なくとも、連続する上記フレームにおけるシンクデータ間隔と同間隔となる位置に、シンクデータが記録されるデータフォーマットが形成されて再生専用のデータが記録されるとともに、上記フレーム及び上記バッファ領域に記録されるシンクデータが第２の反転間隔のデータパターンとされた再生専用記録媒体と、
のいずれかが装填される再生装置における再生方法として、
装填された記録媒体が上記記録再生記録媒体と上記再生専用記録媒体のいずれであるかを判別し、
装填された記録媒体が上記再生専用記録媒体の場合は、上記第２の反転間隔のデータパターンの検出により上記シンクデータの検出処理を実行し、
装填された記録媒体が上記記録再生記録媒体の場合は、上記第１の反転間隔のデータパターンの検出により上記シンクデータの検出処理を実行し、
検出されたシンクデータに基づいてフレーム同期処理を行い、データデコード処理を行うとともに、検出されたシンクデータに基づいてフレームアドレス検出処理を行うことを特徴とする再生方法。
【発明の詳細な説明】
【０００１】
【発明の属する技術分野】
本発明は、光ディスク等の記録媒体であって特に再生専用記録媒体のデータフォーマットに関する。また、再生専用記録媒体と記録再生記録媒体に対応できる再生装置及び再生方法に関するものである。
【０００２】
【従来の技術】
デジタルデータを記録・再生するための技術として、例えば、ＣＤ（Ｃｏｍｐａｃｔ　Ｄｉｓｋ），ＭＤ（Ｍｉｎｉ−Ｄｉｓｋ），ＤＶＤ（Ｄｉｇｉｔａｌ　Ｖｅｒｓａｔｉｌｅ　Ｄｉｓｋ）などの、光ディスク（光磁気ディスクを含む）を記録メディアに用いたデータ記録技術がある。光ディスクとは、金属薄板をプラスチックで保護した円盤に、レーザ光を照射し、その反射光の変化で信号を読み取る記録メディアの総称である。
光ディスクには、例えばＣＤ、ＣＤ−ＲＯＭ、ＤＶＤ−ＲＯＭなどとして知られているように再生専用タイプのものと、ＭＤ、ＣＤ−Ｒ、ＣＤ−ＲＷ、ＤＶＤ−Ｒ、ＤＶＤ−ＲＷ、ＤＶＤ＋ＲＷ、ＤＶＤ−ＲＡＭなどで知られているようにユーザーデータが記録可能なタイプがある。記録可能タイプのものは、光磁気記録方式、相変化記録方式、色素膜変化記録方式などが利用されることで、データが記録可能とされる。色素膜変化記録方式はライトワンス記録方式とも呼ばれ、一度だけデータ記録が可能で書換不能であるため、データ保存用途などに好適とされる。一方、光磁気記録方式や相変化記録方式は、データの書換が可能であり音楽、映像、ゲーム、アプリケーションプログラム等の各種コンテンツデータの記録を始めとして各種用途に利用される。
更に近年、ＤＶＲ（Ｄａｔａ　＆　Ｖｉｄｅｏ　Ｒｅｃｏｒｄｉｎｇ）と呼ばれる高密度光ディスクが開発され、著しい大容量化が図られている。
【０００３】
ＤＶＲのような高密度ディスクについては、ディスク厚み方向に０．１ｍｍのカバー層を有するディスク構造において、波長４０５ｎｍのレーザ（いわゆる青色レーザ）とＮＡが０．８５の対物レンズの組み合わせという条件下でフェーズチェンジマーク（相変化マーク）を記録再生を行うとし、トラックピッチ０．３２μｍ、線密度０．１２μｍ／ｂｉｔで、６４ＫＢ（キロバイト）のデータブロックを１つの記録再生単位として、フォーマット効率約８２％としたとき、直系１２ｃｍのディスクに２３．３ＧＢ（ギガバイト）程度の容量を記録再生できる。
また、同様のフォーマットで、線密度を０．１１２μｍ／ｂｉｔの密度とすると、２５ＧＢの容量を記録再生できる。
さらに、記録層を多層構造とすることでさらに飛躍的な大容量化が実現できるる。例えば記録層を２層とすることにより、容量は上記の２倍である４６．６ＧＢ、又は５０ＧＢとすることができる。
【０００４】
【発明が解決しようとする課題】
ところで、上記各種の光ディスクにおいて、再生専用ディスク、例えばＤＶＤ−ＲＯＭ等では、データは、基本的に誤り訂正ブロック単位で、ディスク上にあらかじめ作られたピット（エンボスピット等）として記録されている。
そして従来知られている再生専用ディスクのデータフォーマットとしては、誤り訂正ブロック単位がとぎれなく連続して記録されている。
これは、誤り訂正ブロックが１つの記録再生単位のブロックとされ、ブロックとブロックの間にはリンキング領域（バッファ領域）が形成されていないという意味である。
【０００５】
記録可能なディスク（記録再生ディスク）でも、再生専用ディスクと同様に、基本的に誤り訂正ブロック単位で、ディスク上にデータ記録及びその再生を行う。
ただし、ランダムアクセス記録性を考慮して、ブロックとブロックの間にはリンキング領域が形成される場合がある。
リンキングを用いると、記録再生装置でブロックのランダムアクセスを実現する場合に、リンキング無しのデータフォーマットの場合に比べて単純で安価なハードウエアで実現できるという利点がある。
【０００６】
これに対して、リンキング部分無しで途切れ無くブロックを連続して書き込む方式では、リンキングエリアが存在しないため、読出クロックのＰＬＬ（「Ｐｈａｓｅ　Ｌｏｃｋｅｄ　Ｌｏｏｐ」：位相同期ループ）が定常状態になるまでの間、データの読み出しが安定せず、読み出しデータ誤りが発生する危険性があり、ランダムアクセス性の観点からは不利である。
ところが、再生専用ディスクでは、ランダムアクセス記録は考慮しなくて良いため、リンキング領域は不要となる。
【０００７】
ここで、基本的に同種のディスクとして再生専用ディスクと記録再生ディスクを考える。例えば再生専用ディスクとしてのＤＶＤ−ＲＯＭと、記録再生ディスクとしてのＤＶＤ−ＲＡＭ等のことである。または、上記高密度ディスク（ＤＶＲ）としての再生専用ディスクと記録再生ディスクである。
【０００８】
このような同種のディスク間では、相互の再生互換性が求められるものであるが、データ配置方式（データフォーマット）が、リンキングのない再生専用ディスクと、リンキングの有る記録再生ディスクというように異なってしまうと、互換性が低下してしまうことになる。
即ちそのような場合、両ディスクに対応する再生装置では、再生タイミング発生回路や同期回路、ファームウエア等として、類似するハードウエア或いはソフトウエアを再生専用ディスク用と記録再生ディスク用で二重に備えるようにし、再生するディスクに応じて、それらを切り換えるようにしなければならないことになる。
つまり、互換性維持のためには装置構成に負担を強いることになる。
【０００９】
【課題を解決するための手段】
そこで本発明は、記録再生記録媒体との間で互換性に優れたデータフォーマットとされる再生専用記録媒体を実現することを目的とする。
【００１０】
このために本発明の再生専用記録媒体は、情報の記録再生単位とされるブロックが連続され、上記各ブロックは、前端バッファ領域となるデータランインと、シンクデータ及び主データを有するフレームが複数連続して成るクラスタと、後端バッファ領域となるデータランアウトとを有する。そして、さらにブロックとブロックの境界において上記データランアウトと上記データランインで形成されるバッファ領域には、少なくとも、連続する上記フレームにおけるシンクデータ間隔と同間隔となる位置に、シンクデータが記録される。このようなデータフォーマットが形成されて、再生専用のデータが記録されたものとされる。
また上記データフォーマットにおいて、上記バッファ領域には、連続する上記フレームにおけるシンクデータ間隔と同間隔となる位置のみに、シンクデータが記録されるようにする。
また、上記バッファ領域における少なくとも一つのシンクデータのデータパターンは、上記フレームに設けられるシンクデータのデータパターンとは異なるものとされる。
また、このような本発明の再生専用記録媒体と同様に、情報の記録再生単位とされるブロックが連続され、上記各ブロックは、前端バッファ領域となるデータランインと、シンクデータ及び主データを有するフレームが複数連続して成るクラスタと、後端バッファ領域となるデータランアウトとを有するデータフォーマットが形成され、データの記録及び再生が可能とされる記録再生記録媒体において、シンクデータが第１の反転間隔のデータパターンとされる場合に、本発明の再生専用記録媒体では、上記フレーム及び上記バッファ領域に記録されるシンクデータは、第２の反転間隔のデータパターンとされるようにする。
【００１１】
本発明の再生装置は、上記のようにシンクデータが第１の反転間隔のデータパターンとされた記録再生記録媒体と、シンクデータが第２の反転間隔のデータパターンとされた再生専用記録媒体との両方に対応してデータ再生を行う再生装置である。
そして装填された記録媒体から情報読出を行う読出手段と、上記読出手段で読み出された情報から検出されるシンクデータに基づいてフレーム同期処理を行い、データデコード処理を行うデータデコード手段と、上記読出手段で読み出された情報から検出されるシンクデータに基づいてフレームアドレス検出処理を行うアドレスデコード手段と、装填された記録媒体が上記再生専用記録媒体の場合は、上記第２の反転間隔のデータパターンの検出により上記シンクデータの検出処理を実行させ、装填された記録媒体が上記記録再生記録媒体の場合は、上記第１の反転間隔のデータパターンの検出により上記シンクデータの検出処理を実行させるように制御する制御手段とを備える。
【００１２】
本発明の再生方法は、上記のようにシンクデータが第１の反転間隔のデータパターンとされた記録再生記録媒体と、シンクデータが第２の反転間隔のデータパターンとされた再生専用記録媒体との両方に対応してデータ再生を行う再生装置における再生方法である。
即ち装填された記録媒体が上記記録再生記録媒体と上記再生専用記録媒体のいずれであるかを判別し、装填された記録媒体が上記再生専用記録媒体の場合は、上記第２の反転間隔のデータパターンの検出により上記シンクデータの検出処理を実行し、装填された記録媒体が上記記録再生記録媒体の場合は、上記第１の反転間隔のデータパターンの検出により上記シンクデータの検出処理を実行し、検出されたシンクデータに基づいてフレーム同期処理を行い、データデコード処理を行うとともに、検出されたシンクデータに基づいてフレームアドレス検出処理を行う。
【００１３】
上記本発明の再生専用記録媒体では、データフォーマット（データ配置方式）として、記録媒体上への記録再生単位であるブロックの前後端に、記録再生記録媒体との互換を取るためのバッファ領域を持つ。即ちブロック前のバッファとしてのデータランイン、及びブロック後のバッファとしてのデータランアウトである。
そして、このデータランインおよびデータランアウトとしてのバッファ領域では、連続するフレームにおけるシンクデータ間隔と同間隔となる位置に、シンクデータが記録されることにより、再生信号中に、常に等間隔でシンクが現れるようになる。
また本発明の再生装置、再生方法では、再生専用記録媒体と記録再生記録媒体においてシンクパターンの反転間隔が異なる場合でも対応できる。
【００１４】
【発明の実施の形態】
以下、本発明の再生専用記録媒体の実施の形態として、再生専用光ディスクを説明し、また再生専用光ディスク及びデータ記録可能な記録再生光ディスクに対して再生できる再生装置についても述べる。
なお、実施の形態の再生専用光ディスクを「ＲＯＭディスク」と呼び、また記録再生光ディスクを「ＲＡＭディスク」と呼ぶこととする。説明は次の順序で行う。
１．ＲＡＭディスクのデータフォーマット
２．ＲＯＭディスクのデータフォーマット例▲１▼
３．ＲＯＭディスクのデータフォーマット例▲２▼
４．シンクパターン及び順序
５．ＲＯＭディスクのデータフォーマット例▲３▼
６．再生装置
【００１５】
１．ＲＡＭディスクのデータフォーマット
本実施の形態のＲＯＭディスクは、ＲＡＭディスクとの互換性に好適なデータフォーマットとすることを目的の１つとしている。このため、実施の形態のＲＯＭディスクの説明に先立って、ＲＡＭディスクのデータフォーマットを説明する。
【００１６】
ここでのＲＡＭディスクは、ＤＶＲディスクとして上述した高密度ディスクの範疇に属するものとする。
即ち、直径１２ｃｍの光ディスクであって、ディスク厚み方向に０．１ｍｍのカバー層を有するディスク構造とされる。そして波長４０５ｎｍのレーザ（いわゆる青色レーザ）とＮＡが０．８５の対物レンズの組み合わせという条件下でフェーズチェンジマーク（相変化マーク）を記録再生を行うものとされ、トラックピッチ０．３２μｍ、線密度０．１２μｍ／ｂｉｔで、６４ＫＢ（キロバイト）のデータブロックを１つの記録再生単位として記録再生を行う。
【００１７】
ＤＶＲディスクにおけるＲＡＭディスクの記録再生単位は、１５６シンボル×４９６フレームのＥＣＣブロック（クラスタ）の前後に１フレームのＰＬＬ同期等のためのリンクエリアを付加して生成された合計４９８フレームとなる。この記録再生単位を、ＲＵＢ（Ｒｅｃｏｒｄｉｎｇ　Ｕｎｉｔ　Ｂｌｏｃｋ）と呼ぶ。
なお、ＲＡＭディスクの場合、ディスク上にはグルーブ（溝）が蛇行（ウォブリング）されて形成され、このウォブリンググルーブが記録再生トラックとされる。そしてグルーブのウォブリングは、いわゆるＡＤＩＰデータを含むものとされる。つまりグルーブのウォブリング情報を検出することで、ディスク上のアドレスを得ることができるようにされている。
【００１８】
ウォブリンググルーブによって形成されるトラック上にはフェイズチェンジマークによるレコーディングマークが記録されるが、フェーズチェンジマークはＲＬＬ（１，７）ＰＰ変調方式（ＲＬＬ；Ｒｕｎ　Ｌｅｎｇｔｈ　Ｌｉｍｉｔｅｄ、ＰＰ：Ｐａｒｉｔｙ　ｐｒｅｓｅｒｖｅ／Ｐｒｏｈｉｂｉｔ　ｒｍｔｒ（ｒｅｐｅａｔｅｄ　ｍｉｎｉｍｕｍ　ｔｒａｎｓｉｔｉｏｎ　ｒｕｎｌｅｎｇｔｈ））等により、線密度０．１２μｍ／ｂｉｔ、０．０８μｍ／ｃｈ　ｂｉｔで記録される。
１ｃｈビットを１Ｔとすると、マーク長は２Ｔから８Ｔで最短マーク長は２Ｔである。
【００１９】
再生チャンネルデータの単位（記録再生単位）となるＲＵＢの構造を図１に示す。
ＲＵＢはディスクのデータ記録開始位置から順に、連続したシーケンスとしてディスク上のアドレスで指定された所定の位置に記録されている。図１ではＲＵＢが、ＲＵＢアドレスＡ１から、Ｍブロック分のシーケンスとして記録されている場合を示している。
【００２０】
ＲＵＢは、２７６０チャンネルビットのデータランイン（以下、ランイン）で始まり、変調されたユーザデータおよびその同期パターンの集合であるクラスタが続き、１１０４チャンネルビットのデータランアウト（以下、ランアウト）で終わる構成とされる。
ランインとランアウトはリンキングとしてのエリアである。
クラスタは、図示するように、４９６個のフレーム（Ｆｒｍ０〜Ｆｒｍ４９５）で形成されている。各フレームには先頭にフレームシンクＦＳが配され、それに続いてフレームデータＦＤが配される。フレームシンクＦＳは３０チャンネルビットとされる。
フレームデータＦＤとしてはユーザーデータが記録される。
【００２１】
図２に或るＲＵＢと次のＲＵＢの境界部分、即ちランアウトとランインによるリンキングエリアを詳しく示す。
図２（ａ）に示すように、或るＲＵＢの最後のフレーム（Ｆｒｍ４９５）に続くランアウトと、次のＲＵＢの最初のフレーム（Ｆｒｍ０）の前に位置されるランインが、一部オーバラップして記録されて２フレーム分の区間がリンキングとなる。換言すれば、或るＲＵＢに連続する位置に、次のＲＵＢの記録を行う際には、記録済のＲＵＢのランアウト内となるＮＳＰ（Ｎｏｍｉｎａｌ　Ｓｔａｒｔ　Ｐｏｉｎｔ）から次のＲＵＢの記録が行われることで、ランアウトの後端部分がオーバラップしてランインが記録されることになる。
このオーバラップにより、先行するＲＵＢと、新たに書き込むＲＵＢの間に空隙ができないようにされる。
【００２２】
このランアウトとランインによる２フレーム分の区間としてのリンキングは、ＲＵＢのバッファとして各種の機能を持たせることができる。
例えばランインは、データ記録再生時にＰＬＬクロック引き込みのための領域として用いられる。またデータ記録時、レーザパワーの自動調整（ＡＰＣ：Ａｕｔｏ　Ｐｏｗｅｒ　Ｃｏｎｔｒｏｌ）用に使うことができる。例えばランインが、記録時におけるオーバーラップのためのガードエリアを有する場合に、該エリア内に、光源のパワーに係る自動調整用の信号パターンを記録すれば良い。
ランアウトについても多目的な利用が可能である。ランアウトはランインと同様に、ＳＰＳや記録開始位置精度による記録位置の変動に対処するためのバッファエリアである。尚、「ＳＰＳ」とは、スタートポジションシフトであり、ディスクが過度に疲労するのを避けるために、各記録単位ブロックのスタート位置がランダムなチャンネルビット分だけ規定のスタートポジション（ＮＳＰ）からシフトされるときのポジションシフトを意味する。
【００２３】
ランアウトについては、例えば、再生時の波形等化処理及びビタビ復号処理等の時間を要する処理のための時間的なバッファエリアとしても使うことができる。ランアウトが、信号処理の時間調整用のポストアンブルを有する場合には、該ポストアンブルに、再生クロックに係るＰＬＬ用の信号パターンを記録すれば良い。当該パターンについては、再生時の波形等化処理及びビタビ復号処理等の時間を要する処理に用いる再生クロックのＰＬＬにとって適切な繰り返しパターンを用いることが好ましい。
また、ブロックの記録終了時、ランアウトはレーザパワーのＡＰＣ用にも使うことができる。
【００２４】
図２（ｂ）においては、ランアウト内のデータＤＲＯ、ランイン内のデータＤＲＩを示しているが、例えばこれらのデータＤＲＯ、ＤＲＩの領域を、上記したような目的のためのデータやパターンに使用すればよい。
【００２５】
また図２（ａ）（ｂ）に示すように、ランアウト、ランインによるリンキングには、シンクデータＳ１，Ｓ２，Ｓ３、及び９Ｔの６回繰り返しパターン（９Ｔ×６）が記録される。
上述した各フレームにおけるフレームシンクＦＳは、詳しくは後述するが、９Ｔが２回連続するシンクパターンとされている。これと同様にシンクデータＳ１，Ｓ２，Ｓ３も、９Ｔが２回連続するシンクパターンとされている。
そして、シンクデータＳ１，Ｓ２、及びフレーム（Ｆｒｍ０）の先頭のフレームシンクＦＳの３つのシンクパターンの部分で、確実にフレーム同期をとることができるようにされている。即ち再生時には、ランイン部分でまずクロックＰＬＬ引き込みを行い、その後シンクデータＳ１，Ｓ２，ＦＳの部分でフレーム引き込みを行うものとなる。
【００２６】
また、ランアウトにおいて、９Ｔの６回繰り返しパターン（９Ｔ×６）は、ブロックデータ再生が終了したことを検出するために設けられている。即ち再生装置は、ＲＵＢ内でユニークなパターンである９Ｔの６回繰り返しを検出することで、ブロックの終了検出を行うことができる。
【００２７】
このようなＲＡＭディスクのデータフォーマットは、次のような性格を持つものとなる。
・ＲＡＭディスクの記録はＲＵＢ単位である。このＲＵＢ単位の記録／再生に関してリンキングがバッファとして機能し、ランダムアクセス性を向上させる。
・上記ＳＰＳによりスタートポジションがずらされることで、ディスク上に同一データが何度も上書きされてディスクが劣化することを避けるが、このＳＰＳ動作がリンキングがバッファとして機能することで可能となる。
・再生時に、ランインでクロック再生のためのＰＬＬ引き込みを行い、シンクデータＳ１，Ｓ２，ＦＳでフレーム引き込みを確実に行う。
・リンキングにおいては、シンクデータの間隔がフレーム部分（Ｆｒｍ０〜Ｆｒｍ４９５）と同間隔とはなっていない。つまり２フレーム分の範囲のリンキングにおいて、２フレーム目の先頭に相当する位置にシンクデータが無い。これはＲＡＭディスクではあくまでＲＵＢ単位で完結するため、リンキングでフレーム部分と同間隔のフレームシンクが不要とであること、さらには上記オーバラップやＳＰＳが行われることによる。また、さらには、２フレーム目の先頭に相当する位置のあたり（図２のランインのデータＤＲＩに含まれる位置）においては、クロック引き込みのために短い反転間隔のデータパターンが好ましく、この位置に９Ｔという長い反転間隔のシンクが存在することが適切でないという理由もある。
【００２８】
なお、ＲＡＭディスクではウォブリンググルーブによってアドレスを得ることができるため、フレーム内に記録されているアドレスの重要度が、ＲＯＭディスクの場合に比較して相対的に低いものでもある。
また、ウォブリンググルーブによる情報からディスクの回転速度情報も得ることができる。その意味で、データ配列上でシンクが規則的に出現する必要はない。つまり、シンク出現間隔から回転速度情報を検出する必要がない。このため、リンキングにおいてシンクデータの出現間隔が不規則になることは問題とはならない。
【００２９】
２．ＲＯＭディスクのデータフォーマット例▲１▼
上記のようなＲＡＭディスクとの間で互換性に優れた本実施の形態のＲＯＭディスクのデータフォーマット例▲１▼を説明する。
【００３０】
ＲＡＭディスクとの互換性を考慮した場合、まず上記図２のＲＡＭディスクと全く同様のデータフォーマットとしたＲＯＭディスクを考えることができる。即ち図２のようにランアウト、ランインによるリンキングを設けるようにし、またリンキング内に、シンクデータＳ１，Ｓ２，Ｓ３及び９Ｔの６回繰り返しパターン（９Ｔ×６）を有するデータ配列とするものである。
【００３１】
ところが、そのようにする場合、シンクの出現間隔がリンキング部分で不規則になることで、次のような不都合が発生する。
ＲＯＭディスクでは、ディスク上にウォブリンググルーブが形成されず、ピット列によりトラックが形成されることになる。つまり、ウォブリンググルーブによってアドレスを検出したり、ディスク回転速度情報を検出することはできない。このため、ＲＯＭディスクの場合は、シンクデータを用いてスピンドルＰＬＬのためのタイミング信号を作ることになる。即ち、連続するフレーム部分で規則的にシンクが出現するため、非同期状態においてもシンク出現間隔を回転速度情報とすることができ、シンク検出に基づいてスピンドル回転制御が行われる。
このような場合、ランアウト、ランインの部分でシンク出現間隔が不規則になることは、リンキング部分で適切にタイミング信号が得られず、リンキング部分で誤ったもしくは不正確なタイミング信号となってしまうものとなる。つまりシンクパターンを用いたスピンドルＰＬＬの位相誤差信号生成に不利である。
【００３２】
また、リンキング部分での不規則なシンクに対応するためには、同期回路をその変速シンク部分に対応させる必要が生じ、回路の複雑化、大規模化が余儀なくされる。従って同期引き込みという観点でも不利である。
【００３３】
そこで本実施の形態では、ＲＯＭディスクのデータフォーマットを以下のように設定する。
まず本例のＲＯＭディスクでは、ＲＵＢ構造はＲＡＭディスクで説明した図１と同様となる。つまりＲＵＢはバッファとしてのランイン、４９６個のフレーム（Ｆｒｍ０〜Ｆｒｍ４９５）によるクラスタ、及びバッファとしてのランアウトから形成される。
図３は、本例のＲＯＭディスクにおいて、特にリンキング部分を詳しく示している。
図３（ａ）に示すように、或るＲＵＢの最後のフレーム（Ｆｒｍ４９５）と次のＲＵＢの最初のフレーム（Ｆｒｍ０）の間は、ランアウト及びランインにより２フレーム分の区間のリンキングとなる。
【００３４】
ＲＵＢの後端は、図３（ｃ）に示すように、１１０４チャンネルビットのポストエリアとされる。これがランアウトとなる。
ＲＵＢの前端は、８２８チャンネルビットのバッファ領域と、１９３２チャンネルビットのプリフレームとされ、これがランインとなる。
このようにランアウト及びランインによるリンキング（バッファエリア）が設けられることがＲＡＭディスクと同様とされることで、ＲＡＭディスクとの互換性を有利にする。
【００３５】
図３（ａ）（ｂ）に示すように、ランアウト、ランインによるリンキングには、図２のＲＡＭディスクのフォーマットと同様に、シンクデータＳ１，Ｓ２，Ｓ３、及び９Ｔの６回繰り返しパターン（９Ｔ×６）が記録される。
その上でＲＯＭフォーマットの場合、図示するようにシンクデータＳＡが記録される。
このシンクデータＳＡは、図３（ｂ）からわかるように、２フレーム分のリンキングにおける、２番目のフレームに相当する区間の先頭位置に配される。
そしてシンクデータＳ３が、２フレーム分のリンキングにおける、１番目のフレームに相当する区間の先頭位置に配されることとも併せて、シンクデータＳＡが設けられることにより、フレーム（Ｆｒｍ０〜Ｆｒｍ４９５）におけるフレームシンクＦＳと、リンキングにおけるシンクデータＳ３，ＳＡは、全て等間隔（１フレーム間隔）で出現するシンクパターンとなる。
【００３６】
なお、図３（ｂ）に示す斜線部は、任意のデータ或いはパターンを記録すればよい。例えば再生クロック引き込みパターンとして、比較的反転間隔の短いパターンを記録することが考えられる。
また、所定の制御データやダミーデータを記録するようにしてもよい。
【００３７】
本例のＲＯＭディスクのデータフォーマットがこのように構築されることで、次のような効果を持つものとなる。
・リンキングを有することでフレームデコードの処理をＲＡＭディスクの場合と共通化でき、互換性に有利なものとなる。またランダムアクセス性に優れたものとできる。即ちＲＡＭディスク、ＲＯＭディスクの両方に対応する再生装置の設計に都合が良く、装置の簡易化、コストダウンに好適である。
・シンクデータＳＡは、ＲＡＭディスクにおいては元々データが規定されていない場所に記録されるものであり、ＲＡＭディスクのフォーマットに対する影響はほとんどない。
・シンクデータＳＡ、Ｓ３によりリンキングであるか否かに関わらず全てのフレーム区間毎で規則的にシンクパターンが発生するため、フレーム同期保護、フレーム同期引き込みに有利となる。
・ＲＯＭディスクの場合、ウォブリンググルーブが存在しないためシンク検出に基づいてスピンドル回転速度情報を得るものとなるが、これが、全てのフレーム区間毎で規則的にシンクパターンが発生することで適切に実行できる。つまりシンクパターンを用いたスピンドルＰＬＬの位相誤差信号生成に有利である。特にＰＬＬ非同期状態でも、シンクパターン発生間隔を回転速度情報とすることができる。
【００３８】
３．ＲＯＭディスクのデータフォーマット例▲２▼
次に実施の形態のＲＯＭディスクのフォーマット例▲２▼として、ＲＯＭディスクとして、より好適な例を説明する。
この場合も、ＲＵＢ構造はＲＡＭディスクで説明した図１と同様となる。つまりＲＵＢはバッファとしてのランイン、４９６個のフレーム（Ｆｒｍ０〜Ｆｒｍ４９５）によるクラスタ、及びバッファとしてのランアウトから形成される。
図４は、本例のＲＯＭディスクにおいて、特にリンキング部分を詳しく示している。
図４（ａ）に示すように、或るＲＵＢの最後のフレーム（Ｆｒｍ４９５）と次のＲＵＢの最初のフレーム（Ｆｒｍ０）の間は、ランアウト及びランインにより２フレーム分の区間のリンキングとなる。
【００３９】
ＲＵＢの後端は、図４（ｃ）に示すように、１１０４チャンネルビットのポストエリアとされる。これがランアウトとなる。
ＲＵＢの前端は、８２８チャンネルビットのバッファ領域と、１９３２チャンネルビットのプリフレームとされ、これがランインとなる。
このようにランアウト及びランインによるリンキング（バッファエリア）が設けられることがＲＡＭディスクと同様とされることで、ＲＡＭディスクとの互換性を有利にする。
【００４０】
図４（ａ）（ｂ）に示すように、ランアウト、ランインによるリンキングには、図２のＲＡＭディスクのフォーマットにおけるシンクデータＳ１，Ｓ２及び９Ｔの６回繰り返しパターン（９Ｔ×６）は記録されない。
そして、図示するようにシンクデータＳＡ、Ｓ３が記録される。
シンクデータＳＡは、図４（ｂ）からわかるように、２フレーム分のリンキングにおける、２番目のフレームに相当する区間の先頭位置に配される。
そしてシンクデータＳ３が、２フレーム分のリンキングにおける、１番目のフレームに相当する区間の先頭位置に配されることとも併せて、シンクデータＳＡが設けられることにより、フレーム（Ｆｒｍ０〜Ｆｒｍ４９５）におけるフレームシンクＦＳと、リンキングにおけるシンクデータＳ３，ＳＡは、全て等間隔（１フレーム間隔）で出現するシンクパターンとなる。
【００４１】
つまりこのＲＯＭディスクのデータフォーマット例▲２▼は、上述したデータフォーマット例▲１▼から、シンクデータＳ１，Ｓ２及び９Ｔの６回繰り返しパターン（９Ｔ×６）を取り除いたものである。
なお、図４（ｂ）に示す斜線部は、任意のデータ或いはパターンが記録される。例えば再生クロック引き込みパターンとして、比較的反転間隔の短いパターンを記録したり、所定の制御データやダミーデータが記録される。
【００４２】
本例のＲＯＭディスクのデータフォーマットがこのように構築されることで、次のような効果を持つものとなる。
・リンキングを有することでフレームデコードの処理をＲＡＭディスクの場合と共通化でき、互換性に有利なものとなる。またランダムアクセス性に優れたものとできる。即ちＲＡＭディスク、ＲＯＭディスクの両方に対応する再生装置の設計に都合が良く、装置の簡易化、コストダウンに好適である。
・シンクデータＳＡは、ＲＡＭディスクにおいては元々データが規定されていない場所に記録されるものであり、ＲＡＭディスクのフォーマットに対する影響はほとんどない。
・シンクデータＳＡ、Ｓ３によりリンキングであるか否かに関わらず全てのフレーム区間毎で規則的にシンクパターンが発生するため、フレーム同期保護、フレーム同期引き込みに有利となる。
・ＲＯＭディスクの場合、ウォブリンググルーブが存在しないためシンク検出に基づいてスピンドル回転速度情報を得るものとなるが、これが、全てのフレーム区間毎で規則的にシンクパターンが発生することで適切に実行できる。つまりシンクパターンを用いたスピンドルＰＬＬの位相誤差信号生成に有利である。特にＰＬＬ非同期状態でも、シンクパターン発生間隔を回転速度情報とすることができる。
・上記データフォーマット例▲１▼の場合、リンキングにはフレーム間隔で出現するシンクデータＳＡ、Ｓ３の他に、シンクデータとしてのパターンを有するシンクデータＳ１，Ｓ２、９Ｔ×６が存在する。これらは、シンクパターンとして不規則に出現するものとなり、スピンドルＰＬＬの位相誤差信号生成にとって外乱となる。場合によっては等間隔のシンクパターンの誤認識（回転速誤情報の誤検出）につながる。従って、本例のようにこれらが存在しないことは、スピンドルＰＬＬの位相誤差信号生成にとって、より好適なものとなる。なお、ＲＡＭディスクのフォーマットにおいて説明したようにシンクデータＳ１，Ｓ２はフレーム引き込み性能の向上のために設けられたものであるが、ユーザーデータが連続的に予め記録されているＲＯＭディスクの場合、各ＲＵＢ単位でのフレーム引き込み性能はそれほど重要ではない。従って、シンクデータＳ１，Ｓ２はさほど必要なものではない。９Ｔの６回繰り返しパターンによるＲＵＢ終了検出もＲＯＭディスクではさほど必要ではない。これらのことから、シンクデータＳ１，Ｓ２、９Ｔ×６を設けないことは問題とはならない。
【００４３】
４．シンクパターン及び順序
例えば上記したＲＯＭディスクのフォーマット例▲２▼（▲１▼でも同様）では、シンクパターンとして、各フレーム（Ｆｒｍ０〜Ｆｒｍ４９５）のフレームシンクＦＳと、リンキングにおけるシンクデータＳＡ、Ｓ３が、フレーム間隔で規則的に発生するようにしている。
【００４４】
ＲＡＭディスクにおいてはフレームシンクＦＳから、各フレームナンバを検出できるようにされている。
データ内のアドレッシングとしては、ＲＵＢのフレームが１６個のアドレスユニット（物理セクタ）に区分けしてなされる。
即ちＲＵＢには４９６個のフレームが含まれるが、これは３１個のフレーム毎の１６個の物理セクタに分けられる。
３１個のフレームによる物理セクタには、例えば先頭から３つのフレーム内（例えばフレームＦｒｍ０，１，２における所定位置）に、ＲＵＢ／物理セクタアドレスが記録される。
そして、フレームシンクＦＳのパターン検出によって物理セクタ内で３１個の各フレームのフレームナンバ（０〜３０）が検出できることで、フレーム単位でアドレスを検知できることになる。つまり、ＲＵＢ／セクタナンバとフレームナンバとしてデータ内でのフレーム単位のアドレスを得ることができるようにされている。
【００４５】
＜ＲＡＭディスクのフレームシンク＞
本例のＲＯＭディスクのフレームシンクに先立って、まずＲＡＭディスクのフレームシンクを説明しておく。
【００４６】
ＲＵＢにおけるフレーム（Ｆｒｍ０〜Ｆｒｍ４９５）は、それぞれ先頭に３０チャンネルビットからなるフレームシンクＦＳが配される。
このフレームシンクＦＳは、図５（ａ）に示すように、ＦＳ０からＦＳ６の７つのシンクパターンが定義されている。
各シンクパターンＦＳ０〜ＦＳ６は、ＲＬＬ（１，７）ＰＰ変調規則に沿わない２４ビットパターンの本体部（シンクボディ：ｓｙｎｃ　ｂｏｄｙ）と、識別情報となる６ビットの「Ｓｉｇｎａｔｕｒｅ」であるシンクＩＤ（ｓｙｎｃ　ＩＤ）から成る。
【００４７】
シンクパターンは変調ビットにより定められ、図５（ａ）のビット例に示す「１」は信号の反転を表している。ディスクへの記録前に、このようなフレームシンクコードはＮＲＺＩチャンネルビットストリームに変換される。つまり、シンクボディは「０１０１００００００００１００００００００１０」であり、図に示すように「１」で反転する、９Ｔが２回連続するパターンとなる。
そして各シンクパターンＦＳ０〜ＦＳ６は、シンクボディは同様であるが、シンクＩＤによって区別される。
【００４８】
ＲＵＢには４９６個のフレームが含まれるが、上記のようにこれは３１個のフレーム単位で１６個の物理セクタに分けられ、３１個のフレームが、フレームシンクＦＳにより識別できるようにしている。
また、３１個のフレームを識別するのに７種類のＦＳでは不充分であるため、７種類のフレームシンクＦＳ（ＦＳ０〜ＦＳ６）が所定の順序で配されるようにし、その前後のフレームシンクの組み合わせにより識別が行われる。
【００４９】
図５（ｂ）に示すように、各物理セクタの最初のフレーム（フレームナンバ０）についてはシンクパターンＦＳ０とされ、その他のフレーム（フレームナンバ１〜３０）については、シンクパターンＦＳ１〜ＦＳ６が、図示するように割り当てられている。
この図５（ｂ）のように３１個の各フレームについてのフレームシンクＦＳの順序が設定されることで、あるフレームのフレームシンクＦＳと、その前のフレームのフレームシンクＦＳとを組み合わせることで、フレームの識別が可能である。具体的には、フレームナンバｎに係るシンクパターンと、フレームナンバｎ−１、ｎ−２、ｎ−３、ｎ−４のいずれかに係るシンクパターンとの組み合わせからフレームナンバｎを特定することができる。
例えば、現フレームのフレームナンバを５（第５フレーム）として、それより前の第１、２、３のフレームについてフレームシンクＦＳ（ＦＳ１、ＦＳ２、ＦＳ３）が失われた場合でも、１つ前の第４フレームのフレームシンクＦＳ（ＦＳ３）と、現フレーム（第５フレーム）のフレームシンクＦＳ（ＦＳ１）から、現フレームがフレームナンバ５と識別できる。これはシンクパターンＦＳ３の次にＦＳ１が来る場合は、図５（ｂ）の特定の箇所、つまり、フレームナンバ４、５でしか起こり得ないとされていることによる。
【００５０】
なお、図示していないがＲＡＭディスクにおいてリンキングの先頭に配されるシンクデータＳ３は、例外的にシンクパターンＦＳ０が用いられている。
【００５１】
＜ＲＯＭディスクのフレームシンク［例１］＞
例えば上記図３又は図４のＲＯＭディスクのフォーマット例▲１▼▲２▼において適用できるフレームシンク例を、以下、各種説明していく。
【００５２】
フレームシンク［例１］を図６（ａ）（ｂ）に示す。この［例１］は、図６（ａ）に示すとおり、上記ＲＡＭディスクと同様に、フレームシンクＦＳとして７種類のシンクパターンＦＳ０〜ＦＳ６が用いられるものとしている。
また図６（ｂ）に示すように、物理セクタの３１個のフレームを識別するための順序、つまりフレームナンバに対応するシンクパターンＦＳ０〜ＦＳ６の設定も同様である。
図３、図４に示した、リンキングにおけるシンクデータＳ３については、シンクパターンＦＳ０とする。
またシンクデータＳＡについてはシンクパターンＦＳ１〜ＦＳ６のいずれかを採用する。或いは、シンクボディとして９Ｔの２回連続パターンの後にシンクＩＤが存在しないパターンとしてもよい。
【００５３】
このようなフレームシンク［例１］とすれば、フレームシンク処理に関してＲＡＭディスクと共通化できる。従って互換性に関しては好適である。
【００５４】
＜ＲＯＭディスクのフレームシンク［例２］＞
フレームシンク［例２］を図７（ａ）（ｂ）に示す。この［例２］は、図７（ａ）に示すとおり、フレームシンクＦＳのシンクボディが「０１０００００００００１０００００００００１０」とされる。つまり１０Ｔパターンを採用するものである。
シンクボディが１０Ｔパターンとされること以外、即ちフレームシンクＦＳとしてシンクパターンＦＳ０〜ＦＳ６が用いられることや、フレームナンバ０〜３０、及びシンクデータＳ３、ＳＡに割り当てられるシンクパターンについては、上記［例１］と同様としている。
【００５５】
上述したようにＲＯＭディスクの場合、シンク間隔からスピンドル回転速度情報を得る。またデータの反転間隔は２Ｔ〜８Ｔである。
シンクパターンを９Ｔパターンとすることは、再生信号のＰＬＬにとって有利であるが、非同期状態でも正しくスピンドルＰＬＬのための位相誤差信号をシンク検出に基づいて得ようとする場合（つまりＲＯＭディスクの場合）、データが最長８Ｔであり、シンクが９Ｔであることは、シンク誤検出を生じやすい。即ちスピンドルＰＬＬがロックしていない状態（例えばスピンドル回転が所定速度に整定されていない状態）では、回転速度に応じてシンク検出間隔が変動するが、そのような際に、データにおける８Ｔ部分をシンクパターンと誤認してしまう可能性が高くなる。
このようなことを考慮すると、ＲＯＭディスクにおいては、シンクパターンＦＳ０〜ＦＳ６を１０Ｔパターンとすることが好ましい。つまりデータの８Ｔ部分との誤認可能性を低減でき、スピンドルＰＬＬのためのタイミング検出に有利となるためである。
【００５６】
＜ＲＯＭディスクのフレームシンク［例３］＞
フレームシンク［例３］を図８（ａ）（ｂ）に示す。この［例３］は、フレームシンクＦＳのシンクパターンとして、ＲＡＭディスクにおけるＦＳ０〜ＦＳ６に加えて、ＦＳ７を設けるものである。
即ち、図８（ａ）に示すとおり、フレームシンクＦＳとして、シンクＩＤによって区別されるパターンとして、ＦＳ０〜ＦＳ６に加えてＦＳ７を用意する。
なお、シンクボディとしては９Ｔパターンとしている。
【００５７】
図８（ｂ）に示すように、フレームナンバ０〜３０については、ＲＡＭディスクの場合と同様にシンクパターンＦＳ０〜ＦＳ６が割り当てられる。
またリンキングにおけるシンクデータＳ３には、シンクパターンＦＳ０が割り当てられる。
この場合、リンキングにおけるシンクデータＳＡが、シンクパターンＦＳ７とされるものとなる。
【００５８】
上述した［例１］では、シンクパターンＦＳ０〜ＦＳ６を用いて基本的にＲＡＭディスクと同一とした。
ＲＡＭディスクの場合は、フレームシンクＦＳによって物理セクタ内でフレームが特定できればよい。このフレーム特定はリンキングにおいて考慮する必要はない。また、もしフレームナンバの誤検出があったとしても、ウォブリンググルーブによるＡＤＩＰアドレスから正確なアドレスを得ることもできる。
このような考え方に基づいて、あくまで３１個のフレームが特定できるようにシンクパターンＦＳ０〜ＦＳ６が設定されている。
ＲＯＭディスクの場合にも、あくまでもＲＵＢの物理セクタ内で３１個のフレームが特定できればよいという考え方に基づく場合は、上記［例１］又は［例２］が好適である。
【００５９】
ところが、リンキングでのシンクデータＳ３，ＳＡについても、検出されるシンクパターンをフレーム特定に用いることを考えた場合、上記［例１］又は［例２］の方式では、特定不能となる場合が比較的多く発生する。
即ち、フレームシンクのシンクパターンＦＳ０〜ＦＳ６の設定順序は、現フレームのシンクパターンと、その４つ前までのフレームのうちのいずれかのフレームのシンクパターンの組み合わせが、現フレームナンバを特定できるものとしている。つまり上記組み合わせに重複が発生しないように、フレームナンバ０〜３０のそれぞれにシンクパターンが割り当てられている。
しかしながらこの規則をシンクデータＳ３，ＳＡについても考慮に入れると、上記組み合わせに重複が発生し、フレーム特定ができない場合が発生する。
【００６０】
そこで、シンクデータＳ３，ＳＡについてもフレーム特定のために使用する場合は、本例のように、シンクデータＳＡとして、新たなシンクパターンＦＳ７を採用することが好適となる。
【００６１】
＜ＲＯＭディスクのフレームシンク［例４］＞
フレームシンク［例４］を図９（ａ）（ｂ）に示す。この［例４］は、図９（ａ）に示すとおり、フレームシンクＦＳのシンクボディとして１０Ｔパターンを採用するものである。
シンクボディが１０Ｔパターンとされること以外、即ちフレームシンクＦＳとしてシンクパターンＦＳ０〜ＦＳ７が用いられることや、フレームナンバ０〜３０、及びシンクデータＳ３、ＳＡに割り当てられるシンクパターンについては、上記［例３］と同様としている。
上記［例２］で述べたように、１０Ｔパターンを採用することで、スピンドルＰＬＬのためのタイミング検出に有利となる。
【００６２】
＜ＲＯＭディスクのフレームシンク［例５］＞
フレームシンク［例５］を図１０（ａ）（ｂ）に示す。この［例５］は、フレームシンクＦＳのシンクパターンとして、ＲＡＭディスクにおけるＦＳ０〜ＦＳ６に加えて、ＦＳ７、ＦＳ８を設けるものである。
即ち、図１０（ａ）に示すとおり、フレームシンクＦＳとして、シンクＩＤによって区別されるパターンとして、ＦＳ０〜ＦＳ６に加えてＦＳ７、ＦＳ８を用意する。なお、シンクボディとしては９Ｔパターンとしている。
【００６３】
図１０（ｂ）に示すように、フレームナンバ０〜３０については、ＲＡＭディスクの場合と同様にシンクパターンＦＳ０〜ＦＳ６が割り当てられる。
ただし、各物理セクタのフレームナンバ３０は、シンクパターンＦＳ２であるが、ＲＵＢにおける１６個目の物理セクタの最後のフレームナンバ３０、即ちＲＵＢの最後のフレーム（Ｆｒｍ４９５）においてのみは、シンクパターンＦＳ２に代えてＦＳ７を割り当てる。
またリンキングにおけるシンクデータＳ３には、シンクパターンＦＳ８を割り当て、シンクデータＳＡには、シンクパターンＦＳ７を割り当てる。
【００６４】
上記［例３］［例４］のように、シンクデータＳＡに新規なシンクパターンＦＳ７を割り当てることで、シンクデータＳＡ、Ｓ３を考慮に入れた場合でも組み合わせの重複が無くなり、ＲＵＢ内でリンキング部分を含めたフレーム特定が可能となる。
ところが、リンキングをまたいで連続するＲＵＢのフレームのシンクパターンとの上述したシンクパターンの組み合わせも考慮に入れていくと、その組み合わせに重複が発生し、フレーム特定ができない場合が発生する。
【００６５】
例えば、上述した図８、図９の［例３］［例４］だと、ＲＵＢの２番目のフレーム（Ｆｒｍ１）のフレームシンクＦＳはシンクパターンＦＳ１であり、その４つ前のフレームは前のＲＵＢの最後のフレーム（Ｆｒｍ４９５（＝フレームナンバ３０））となるため、フレームシンクＦＳはシンクパターンＦＳ２である。
ところが「ＦＳ１」の４つ前が「ＦＳ２」という組み合わせは、フレームナンバ２３でも発生する（フレームナンバ２３は「ＦＳ１」であり、その４つ前のフレームナンバ１９は「ＦＳ２」である。）
【００６６】
このような重複を避けるには、ＲＵＢの最後のフレーム（Ｆｒｍ４９５）のみ、新規なシンクパターンＦＳ７とすることが必要となる。
これが本例において、上記のようにＲＵＢの最後のフレーム（Ｆｒｍ４９５）においてのみは、シンクパターンＦＳ２に代えてＦＳ７を割り当てる理由である。
【００６７】
また、最後のフレーム（Ｆｒｍ４９５）を「ＦＳ７」とすると、シンクデータＳ３を「ＦＳ０」、ＳＡを「ＦＳ７」とするままでは重複が生ずる。
即ち「ＦＳ０」の１つ前が「ＦＳ７」という組み合わせが、リンキングでの先頭フレームとフレーム（Ｆｒｍ４９５）の部分で発生し、またＲＵＢの先頭フレーム（Ｆｒｍ０）とリンキングの２番目のフレームの部分で発生する。
これを避けるため、本例では図１０に示したように、リンキングにおけるシンクデータＳ３には、新規なシンクパターンＦＳ８を割り当て、シンクデータＳＡには、シンクパターンＦＳ７を割り当てる。
【００６８】
このような［例５］により、リンキングをまたいでのフレームナンバ検出も確実に行うことができるようになる。
特にＲＯＭディスクの場合、ウォブリンググルーブによるアドレス検出ができないため、ＲＵＢをまたいでもフレームナンバ検出、即ちアドレス検出が確実にできるようになることは好ましいものである。
【００６９】
なお、「ＦＳ７」「ＦＳ８」の割り当ては逆にしてもよい。つまり、最後のフレーム（Ｆｒｍ４９５）とシンクデータＳＡを「ＦＳ８」とし、シンクデータＳ３を「ＦＳ７」としてもよい。
【００７０】
＜ＲＯＭディスクのフレームシンク［例６］＞
フレームシンク［例６］を図１１（ａ）（ｂ）に示す。この［例６］は、図１１（ａ）に示すとおり、フレームシンクＦＳのシンクボディとして１０Ｔパターンを採用するものである。
シンクボディが１０Ｔパターンとされること以外、即ちフレームシンクＦＳとしてシンクパターンＦＳ０〜ＦＳ８が用いられること、最後のフレーム（Ｆｒｍ４９５）のみ「ＦＳ７」とされること、シンクデータＳ３は「ＦＳ８」、ＳＡは「ＦＳ７」が割り当てられることは、上記［例５］と同様としている。なお、この場合も「ＦＳ７」「ＦＳ８」の割り当てを逆にしてもよい。
上記［例２］で述べたように、１０Ｔパターンを採用することで、スピンドルＰＬＬのためのタイミング検出に有利となる。
【００７１】
５．ＲＯＭディスクのデータフォーマット例▲３▼
本発明の実施の形態としてのＲＯＭディスクのフォーマット例は図３，図４において示したが、ＲＯＭディスクのフォーマット例としてリンキングを設けないものも考えられる。これを図１２に示している。
即ちＲＵＢは４９６個のフレーム（Ｆｒｍ０〜Ｆｒｍ４９５）で構成され、バッファが設けられずにこのＲＵＢが連続するフォーマットである。
【００７２】
このようなデータフォーマット例▲３▼を採用した場合、バッファを設けない分、容量を大きくすることができる。
またフレームシンクＦＳは常に規則的に出現するため、フレーム同期保護、フレーム同期引き込みに有利となる。またスピンドルＰＬＬの位相誤差信号生成に有利である。
また、シンクパターンによるフレーム識別の点でも、ＲＡＭディスクと同様の設定において、組み合わせの重複は発生しない。
ただし、ＲＵＢのサイズがＲＡＭディスクと異なるものとなるため、互換性の点で不利である。
【００７３】
６．再生装置
次に、ＲＡＭディスクと本例のＲＯＭディスクに対して互換性をもってデータ再生が可能な再生装置について説明する。
なお、ここではＲＡＭディスクは図５のようにシンクパターンが９Ｔパターンとされ、ＲＯＭディスクは図７，図９，図１１のようにシンクパターンが１０Ｔパターンとされている例とする。
【００７４】
図１３に再生装置のブロック図を示す。
再生装置は、ピックアップユニット５１と、記録媒体を回転させるスピンドルモータ５２と、スピンドルモータ５２を制御するスピンドルサーボ回路５４と、ピックアップユニット５１のサーボ制御を行うサーボ回路５３と、再生信号処理部５５と、再生信号から同期信号を抜き出してスピンドルＰＬＬに位相誤差信号を出力するスピンドルクロック発生部５６と、再生信号からディスク上での位置を特定するアドレスなどの情報を抜き出すアドレスデコーダ５７と、アドレスデコーダ５７で検出したアドレス情報よりデータの再生タイミングを生成するタイミング生成部５８と、復調・同期検出・ＥＣＣ復号等を行う再生データ処理部５９と、外部のホストコンピュータ６４等とのインターフェース手段を含むマイクロコンピュータによるコントローラ６３を備えている。
【００７５】
ディスク５０は上述したデータフォーマットのＲＡＭディスク又はＲＯＭディスクである。
ディスク５０は、図示しないターンテーブルに積載され、再生動作時においてスピンドルモータ５２によって一定線速度（ＣＬＶ）で回転駆動される。
そしてピックアップユニット５１によってディスク５０からのデータ読出が行われる。ディスク５０がＲＡＭディスクの場合、フェイズチェンジマークとして記録されているデータが読み出され、ディスク５０がＲＯＭディスクの場合、エンボスピットとして記録されているデータが読み出される。
【００７６】
ピックアップ５１ユニット内には、レーザ光源となるレーザダイオードや、反射光を検出するためのフォトディテクタ、レーザ光の出力端となる対物レンズ、レーザ光を対物レンズを介してディスク記録面に照射し、またその反射光をフォトディテクタに導く光学系（図示せず）が形成される。
レーザダイオードは、例えば波長４０５ｎｍのいわゆる青色レーザを出力するものとされる。また光学系によるＮＡは０．８５である。
【００７７】
ピックアップユニット５１内において対物レンズは二軸機構によってトラッキング方向及びフォーカス方向に移動可能に保持されている。
またピックアップユニット５１全体はスレッド機構によりディスク半径方向に移動可能とされている。
【００７８】
ディスク５０からの反射光情報はフォトディテクタによって検出され、受光光量に応じた電気信号とされて再生信号処理部５５に供給される。
再生信号処理部５５には、フォトディテクタとしての複数の受光素子からの出力電流に対応して電流電圧変換回路、マトリクス演算／増幅回路等を備え、マトリクス演算処理により必要な信号を生成する。
例えば再生データに相当する高周波信号やプッシュプル信号、サーボ制御のためのフォーカスエラー信号、トラッキングエラー信号などを生成する。
また再生信号処理部５５では、再生データに相当する高周波信号に対してオートゲインコントロール（ＡＧＣ）処理、ＡＤ変換処理、波形等化処理、ビタビ復号処理等を行って再生チャンネルデータを再生する。
【００７９】
再生信号処理部５５から出力される再生データ信号（再生チャンネル信号）は再生データ処理部５９、アドレスデコーダ５７，及びスピンドルクロック発生部５６に供給される。またフォーカスエラー信号及びトラッキングエラー信号はサーボ回路５３に供給される。
【００８０】
スピンドルクロック発生部５６は、再生データ信号から同期信号（シンクデータＦＳ、ＳＡ、Ｓ３）を抜き出してスピンドルＰＬＬに位相誤差信号を出力する。
スピンドルサーボ回路５４は、スピンドルクロック発生部５６からの位相誤差信号をスピンドルＰＬＬに注入し、スピンドルモータ５２による記録媒体を回転をＰＬＬ制御する。
またスピンドルサーボ回路５４は、コントローラ６３からのスピンドルキック／ブレーキ制御信号に応じてスピンドルドライブ信号を発生させ、スピンドルモータ５２の起動、停止、加速、減速などの動作も実行させる。
【００８１】
サーボ回路５３は、再生信号処理部５５からのフォーカスエラー信号、トラッキングエラー信号から、フォーカス、トラッキング、スレッドの各種サーボドライブ信号を生成しサーボ動作を実行させる。
即ちフォーカスエラー信号、トラッキングエラー信号に応じてフォーカスドライブ信号、トラッキングドライブ信号を生成し、ピックアップユニット５１内の二軸機構のフォーカスコイル、トラッキングコイルを駆動することになる。これによってピックアップユニット５１、再生信号処理部５５、サーボ回路５３、二軸機構によるトラッキングサーボループ及びフォーカスサーボループが形成される。
【００８２】
またサーボ回路５３は、コントローラ６３からのトラックジャンプ指令に応じて、トラッキングサーボループをオフとし、ジャンプドライブ信号を出力することで、トラックジャンプ動作を実行させる。
またサーボ回路５３は、トラッキングエラー信号の低域成分として得られるスレッドエラー信号や、コントローラ６３からのアクセス実行制御などに基づいてスレッドドライブ信号を生成し、スレッド機構を駆動する。スレッド機構には、図示しないが、ピックアップユニット５１を保持するメインシャフト、スレッドモータ、伝達ギア等による機構を有し、スレッドドライブ信号に応じてスレッドモータを駆動することで、ピックアップユニット５１の所要のスライド移動が行なわれる。
【００８３】
アドレスデコーダ５７は、再生データ信号から同期信号（シンクデータＦＳ、ＳＡ、Ｓ３）を検出し、またシンクデータに基づいて再生信号からアドレス情報を検出・デコードする。
タイミング生成部５８は、コントローラ６３の制御に基づいて、アドレスデコーダ５７で検出したアドレス情報よりデータの再生タイミングを生成し、再生データ処理部５９に再生タイミング信号を出力する。
例えばタイミング生成部５８は、コントローラ６３からの再生開始アドレス指示等に従い、アドレス同期信号および再生クロックに同期した再生タイミング信号を生成する。
【００８４】
再生データ処理部５９では、タイミング生成部５８からの再生タイミング信号に基づいて、再生チャンネルデータから同期パターンを検出し、ＲＬＬ（１、７）ＰＰ復調処理を行い、インタリーブ処理し、ＥＣＣ復号処理してユーザデータを再生する。
再生されたユーザーデータは、コントローラ６３を通してホストコンピュータ６４へ転送される。
【００８５】
コントローラ６３は、そのインターフェース機能によりホストコンピュータ６４と接続され、ホストコンピュータ６４とのデータのやり取りを行うと共に、当該再生装置の全体の制御を司る。
例えばホストコンピュータ６４から、ディスク５０に記録されている或るデータの転送を求めるリードコマンドが供給された場合は、まず指示されたアドレスを目的としてシーク動作制御を行う。即ちサーボ回路５３に指令を出し、シークコマンドにより指定されたアドレスをターゲットとするピックアップユニット５１のアクセス動作を実行させる。
その後、その指示されたデータ区間のデータをホストコンピュータ６４に転送するために必要な動作制御を行う。即ちディスク５０からのデータ読出を行い、再生信号処理部５５、再生データ処理部５９におけるデコードを実行させ、要求されたデータを転送する。
【００８６】
ところで、上述のようにＲＡＭディスクはシンクパターンが９Ｔパターンとされ、ＲＯＭディスクはシンクパターンが１０Ｔパターンとされている例であるため、シンク検出／フレーム同期にかかる処理系においては、検出すべきシンクパターンの切換が必要になる。
シンク検出処理は、再生データ処理部５９，スピンドルクロック発生部５６，アドレスデコーダ５７において実行される。なお、これら各部がそれぞれ再生データ信号からシンクパターンを検出するシンク検出回路を搭載していても良いが、いずれか１つの部位においてシンク検出回路でシンクパターン検出を行って、その検出情報を他の部位に供給する構成であっても良い。
いずれの場合であっても、コントローラ６３は、再生されるディスク５０がＲＡＭディスクであるかＲＯＭディスクであるかに応じて、シンク検出回路のシンク検出方式を９Ｔパターン検出と１０Ｔパターン検出とで切り換えるように制御する。
【００８７】
即ち図１４に示すように、ディスク５０が装填されるとコントローラ６３はステップＦ１０１としてディスク判別処理を行う。例えば反射率検出、或いは装填時に読み込む管理情報におけるディスク種別データの読込などの手法により、ディスク５０がＲＡＭディスクであるかＲＯＭディスクあるかを判別する。
そしてＲＯＭディスクと判別した場合は、ステップＦ１０２からＦ１０３に進んで、シンクデータ検出方式を１０Ｔパターンのシンク検出に設定する。
またＲＡＭディスクと判別した場合は、ステップＦ１０２からＦ１０４に進んで、シンクデータ検出方式を９Ｔパターンのシンク検出に設定する。
そしてステップＦ１０５で再生処理に移る。
【００８８】
再生装置においては、このようにシンク検出方式を切り換えることで、ＲＡＭディスクとＲＯＭディスクの両方に対応してデータ再生を行うことができる。
なお、例えばＲＯＭディスクのフォーマット例▲１▼▲２▼で述べたように、ＲＯＭディスクの場合でもＲＵＢの前後端にバッファが形成され、ランアウト／ランインによる２フレーム区間のリンキングが設けられているため、フレーム同期、フレームデータデコード処理は、ＲＡＭディスクとＲＯＭディスクで共通の回路系で実行できるものである。
【００８９】
以上、本発明の実施の形態のＲＯＭディスク、再生装置について説明したが、本発明は上記実施の形態に限らず、多様な変形例が考えられる。
ＲＯＭディスクのフォーマット例としては、少なくともリンキング（バッファ）がＲＡＭディスクと同様に設けられ、またフレーム間隔で規則的にシンクデータが得られるようにすればよい。
【００９０】
また再生装置としては、上記図１３の例はホストコンピュータ６４に接続される再生装置としたが、例えばＡＶ機器など、他の機器と接続されるものとしてもよい。さらには他の機器に接続されない形態もあり得る。その場合は、操作部や表示部が設けられたり、データ入出力のインターフェース部位の構成が、図１３とは異なるものとなる。つまり、ユーザーの操作に応じて記録や再生が行われるとともに、各種データの入出力のための端子部或いはスピーカ部やモニタ部が形成されればよい。
また再生装置としたが、ＲＡＭディスクに対するデータ記録が可能な記録再生装置としても実現できる。
【００９１】
【発明の効果】
以上の説明から理解されるように本発明の再生専用記録媒体では、データフォーマットとして、記録媒体上への記録再生単位であるブロック（ＲＵＢ）の前後端に、データランイン及びデータランアウトとしてバッファ領域が形成される。
即ち再生専用記録媒体（ＲＯＭディスク）において、記録再生記録媒体（ＲＡＭディスク）に必要とされるリンキングが形成される。これにより、記録再生記録媒体との間で、同様なデータ配列方式とされることになるため、記録再生記録媒体との互換性に優れたものとなるという効果がある。
つまり再生装置においては、共通のデコード処理系で再生専用記録媒体と記録再生記録媒体を再生可能とできる。例えばＲＡＭディスクの記録再生装置でより少ない追加コストで再生専用記録媒体（ＲＯＭディスク）が再生できるようにできる。
また、本発明の再生専用記録媒体は、バッファ領域（リンキング）が設けられることでランダムアクセス性に優れたものともなるため、ＡＶ（Ａｕｄｉｏ−Ｖｉｓｕａｌ）用あるいはコンピュータストレージ用など、あらゆる再生専用メディアとして、優れた性能を発揮できる。
【００９２】
また再生専用記録媒体において、データランインおよびデータランアウトとしてのバッファ領域では、連続するフレームにおけるシンクデータ間隔と同間隔となる位置に、シンクデータが記録されることにより、再生信号中に、常に等間隔でシンクが現れるようになる。これにより同期確立および同期保護に有利となり、再生装置での動作性能も向上される。
【００９３】
またバッファ領域には、連続する上記フレームにおけるシンクデータ間隔と同間隔となる位置のみに、シンクデータが記録されるようにすれば、シンクパターンの誤認識の防止に有利であり、同期引き込み性能や、スピンドル位相誤差信号生成などの各処理に好適なものとできる。
また、バッファ領域における少なくとも一つのシンクデータのデータパターンは、フレームに設けられるシンクデータのデータパターンとは異なるものとされることで、フレームアドレスの誤検出の防止に好適である。
また、記録再生記録媒体（ＲＡＭディスク）のシンクデータが第１の反転間隔のデータパターンとされる場合に、本発明の再生専用記録媒体では、フレーム及びバッファ領域に記録されるシンクデータが第２の反転間隔のデータパターンとすることで、非同期状態でのシンク検出に基づくスピンドル位相誤差信号生成などのための際のシンク誤検出の防止に好適である。
【００９４】
本発明の再生装置、再生方法によれば、再生専用記録媒体と記録再生記録媒体においてシンクパターンの反転間隔が異なる場合でも対応できる。またシンクデータが第１の反転間隔のデータパターンとされた記録再生記録媒体と、シンクデータが第２の反転間隔のデータパターンとされた再生専用記録媒体との両方に対応して、シンクデータの検出処理を切換制御するため、共通のデータデコード系、アドレスデコード系で適切な再生処理が可能となる。
【図面の簡単な説明】
【図１】本発明の実施の形態のＲＯＭディスク及びＲＡＭディスクのＲＵＢ構造の説明図である。
【図２】ＲＡＭディスクのデータフォーマットの説明図である。
【図３】実施の形態のＲＯＭディスクのデータフォーマット例▲１▼の説明図である。
【図４】実施の形態のＲＯＭディスクのデータフォーマット例▲２▼の説明図である。
【図５】ＲＡＭディスクのフレームシンクのパターン及び順序の説明図である。
【図６】実施の形態のＲＯＭディスクのフレームシンクパターン及びフレームシンク順序としての［例１］の説明図である。
【図７】実施の形態のＲＯＭディスクのフレームシンクパターン及びフレームシンク順序としての［例２］の説明図である。
【図８】実施の形態のＲＯＭディスクのフレームシンクパターン及びフレームシンク順序としての［例３］の説明図である。
【図９】実施の形態のＲＯＭディスクのフレームシンクパターン及びフレームシンク順序としての［例４］の説明図である。
【図１０】実施の形態のＲＯＭディスクのフレームシンクパターン及びフレームシンク順序としての［例５］の説明図である。
【図１１】実施の形態のＲＯＭディスクのフレームシンクパターン及びフレームシンク順序としての［例６］の説明図である。
【図１２】実施の形態のＲＯＭディスクのデータフォーマット例▲３▼の説明図である。
【図１３】実施の形態の再生装置のブロック図である。
【図１４】実施の形態の再生装置のディスク装填時の処理のフローチャートである。
【符号の説明】
５０　ディスク、５１　ピックアップ、５２　スピンドルモータ、５４　スピンドルサーボ回路、５５　再生信号処理部、５６　スピンドルクロック発生部、５７　アドレスデコーダ、５８　タイミング生成部、５９　再生データ処理部、６３　コントローラ
【図１】
2004103096.tif 000003
【図２】
2004103096.tif 000004
【図３】
2004103096.tif 000005
【図４】
2004103096.tif 000006
【図５】
2004103096.tif 000007
【図６】
2004103096.tif 000008
【図７】
2004103096.tif 000009
【図８】
2004103096.tif 000010
【図９】
2004103096.tif 000011
【図１０】
2004103096.tif 000012
【図１１】
2004103096.tif 000013
【図１２】
2004103096.tif 000014
【図１３】
2004103096.tif 000015
【図１４】
2004103096.tif 000016